【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
オプチカルゾーンを含む眼科用レンズであって、オプチカルゾーンが、第一の面及び反対側の第二の面を有し、レンズの頂部から底部まで垂直方向に指向されたコマ収差様波面収差を含むものである眼科用レンズ。
【請求項２】
オプチカルゾーンの第一の面及び第二の面の少なくとも一方が非対称であり、オプチカルゾーンが、オプチカルゾーンの頂部から底部まで増大して行く光学度数を有する、請求項１記載の眼科用レンズ。
【請求項３】
オプチカルゾーンの第一の面及び第二の面の少なくとも一方が、スプラインベースの数学的関数又は二以上の数学的関数の組み合わせによって表わされる、請求項２記載の眼科用レンズ。
【請求項４】
オプチカルゾーンの第一の面及び第二の面の少なくとも一方が、ゼルニケ多項式を含む二以上の数学的関数の組み合わせによって表わされる、請求項３記載の眼科用レンズ。
【請求項５】
ゼルニケ多項式が、ＯＳＡ  ゼルニケ規格案に基づく三次、五次及び七次コマ収差様項の少なくとも一つを含む、請求項４記載の眼科用レンズ。
【請求項６】
オプチカルゾーンの第一の面及び第二の面の少なくとも一方が、双円錐数学的関数と少なくとも一つの垂直方向コマ収差様ゼルニケ項又はその等価物との組み合わせによって表わされる、請求項３記載の眼科用レンズ。
【請求項７】
垂直方向ゼルニケコマ収差係数の大きさが、ＯＳＡ  ゼルニケ規格案に基づくと、直径６mmのオプチカルゾーンの場合で約０．１μm  ＲＭＳ（二乗平均平方根）〜約２μm  ＲＭＳである、請求項６記載の眼科用レンズ。
【請求項８】
前記少なくとも一つの垂直方向コマ収差様ゼルニケ項が垂直方向三次コマ収差様ゼルニケ項Ｚ７（ＯＳＡ規格案ゼルニケ多項式に基づく）であり、オプチカルゾーンの第一の面及び第二の面の前記少なくとも一方が、以下の式
【数１】
2006515938.tif 000001
（式中、
Ｚ（ρ、θ）は、オプチカルゾーンを記述し、
ｃxは、ｘ′方向における曲率（半径の逆数）であり、
ｃyは、ｙ′方向における曲率（半径の逆数）であり、
ｋxｘは、ｘ′方向における円錐定数であり、
ｋyは、ｙ′方向における円錐定数であり、
ｒは、少なくとも一方の面の半径に等しく、
ρは、正規化瞳孔座標（ｒ／ｒｍａｘ）に等しく、
θは、角成分であり、
Ｚ７は、ＲＭＳ  μm単位の垂直コマ収差の係数である）
によって表わされる、請求項６記載の眼科用レンズ。
【請求項９】
前記少なくとも一つの垂直方向コマ収差様ゼルニケ項が垂直方向五次コマ収差様ゼルニケ項Ｚ１７である、請求項６記載の眼科用レンズ。
【請求項１０】
前記少なくとも一つの垂直方向コマ収差様ゼルニケ項が垂直方向七次コマ収差様項Ｚ３１である、請求項６記載の眼科用レンズ。
【請求項１１】
オプチカルゾーンの第一の面及び第二の面の少なくとも一方が、円錐数学的関数と少なくとも一つの垂直方向コマ収差様ゼルニケ項又はその等価物との組み合わせによって表わされる、請求項３記載の眼科用レンズ。
【請求項１２】
前記少なくとも一つの垂直方向コマ収差様ゼルニケ項が、垂直方向三次コマ収差様ゼルニケ項Ｚ７、Ｚ１７又は七次コマ収差様項Ｚ３１（ＯＳＡ規格案ゼルニケ多項式に基づく）である、請求項１１記載の眼科用レンズ。
【請求項１３】
オプチカルゾーンの第一の面及び第二の面の少なくとも一方が一以上のスプラインベースの数学的関数によって表わされる、請求項３記載の眼科用レンズ。
【請求項１４】
コンタクトレンズである、請求項１〜１３のいずれか記載の眼科用レンズ。
【請求項１５】
コンタクトレンズが一以上の配向又は安定化構造を含む、請求項１４記載の眼科用レンズ。
【請求項１６】
前記一以上の配向／安定化構造が、変化する厚さプロフィールを使用してレンズの向きを制御するプリズムバラストなど、レンズの形状の一部を除去してレンズの向きを制御するファセット面、まぶたと係合することによってレンズを配向させるリッジ構造、眼の上でレンズの向きを維持するための、上スラブオフゾーン及び下スラブオフゾーンを有するダブルスラブオフ構造ならびにレンズのオプチカルゾーンを包囲する、レンズの周辺ゾーンの非プリズムバラスト構造からなる群より選択される、請求項１５記載の眼科用レンズ。
【請求項１７】
コンタクトレンズが、オプチカルゾーンの下方に配置され、上縁と、斜面付き下縁と、前面から外に延びる緯線方向リッジと、斜面付き下縁から下に延び、斜面付きリッジゾーンと眼の下まぶたとの間で、下まぶたが斜面付きリッジゾーンのどこに当たるかに依存して異なる程度の相互作用を提供する湾曲又は斜面を有する傾斜部と、を含む斜面付きリッジゾーンをレンズの前面に含む、請求項１５記載の眼科用レンズ。
【請求項１８】
コンタクトレンズが、
後面と、
垂直経線、水平経線、前面オプチカルゾーン、前面オプチカルゾーンから外に延びる複合ゾーン、複合ゾーンを包囲する周辺ゾーン及び周辺ゾーンに外接し、正接するエッジゾーンを含む反対側の前面と
を含み、
前面オプチカルゾーンが、オプチカルゾーンの第一の面及び第二の面の一方であり、複合ゾーンが、周辺ゾーン、複合ゾーン及び前面オプチカルゾーンが互いに正接することを保証する面を有し、周辺ゾーンが、後面と組み合わさって、（１）レンズの頂部から垂直経線及び垂直経線に平行な線それぞれに沿って下向きに累進的に増大して前面オプチカルゾーンとエッジゾーンとの間の位置で最大値に達したのち、エッジゾーンの縁まで減少するレンズ厚さを有すること、又は（２）垂直経線を横断する平面に関して鏡像対称性を有し、水平経線の周囲の領域で実質的に一定の厚さを有し、水平経線から垂直経線及び垂直経線に平行な線それぞれに沿ってコンタクトレンズの頂部又は底部まで累進的に減少する厚さを有することを特徴とする厚さプロフィールをレンズの周辺ゾーンに提供する面を有する、請求項１５記載の眼科用レンズ。
【請求項１９】
有水晶体又は無水晶体眼内レンズである、請求項１〜１３のいずれか１項記載の眼科用レンズ。
【請求項２０】
有水晶体又は無水晶体眼内レンズがハプティックを含む、請求項１９記載の眼科用レンズ。
【請求項２１】
単独で、又は眼の光学系と組み合わさって、垂直方向コマ収差様波面収差を作り出すオプチカルゾーンを含むカスタマイズされた眼科用レンズ。
【請求項２２】
オプチカルゾーンが、眼の垂直方向コマ収差様収差を矯正しないが、垂直方向コマ収差様収差以外の波面収差を矯正又は最小限化する、請求項２１記載のカスタマイズされた眼科用レンズ。
【請求項２３】
オプチカルゾーンが、「眼科用レンズ＋眼」の垂直方向コマ収差様波面収差の所望の全体量に達するように導入された垂直方向コマ収差様波面収差を有する、請求項２２記載のカスタマイズされた眼科用レンズ。
【請求項２４】
垂直方向コマ収差様波面収差を得るために眼の支配的な高次波面収差それぞれの全部又は一部を矯正する、請求項２１記載のカスタマイズされた眼科用レンズ。
【請求項２５】
オプチカルゾーンが、「眼科用レンズ＋眼」の垂直方向コマ収差様波面収差の所望の全体量に達するように導入された垂直方向コマ収差様波面収差を有する、請求項２４記載のカスタマイズされた眼科用レンズ。
【請求項２６】
コンタクトレンズである、請求項２１〜２５のいずれか１項記載のカスタマイズされた眼科用レンズ。
【請求項２７】
コンタクトレンズの後面が、眼の角膜トポグラフィー又は人口の一部分を統計的に表す角膜トポグラフィーを受け入れるための形状を有する、請求項２６記載のカスタマイズされた眼科用レンズ。
【請求項２８】
コンタクトレンズが一以上の配向／安定化構造を含む、請求項２６記載のカスタマイズされた眼科用レンズ。
【請求項２９】
前記一以上の配向／安定化構造が、変化する厚さプロフィールを使用してレンズの向きを制御するプリズムバラストなど、レンズの形状の一部を除去してレンズの向きを制御するファセット面、まぶたと係合することによってレンズを配向させるリッジ構造、眼の上でレンズの向きを維持するための、上スラブオフゾーン及び下スラブオフゾーンを有するダブルスラブオフ構造ならびにレンズのオプチカルゾーンを包囲する、レンズの周辺ゾーンの非プリズムバラスト構造からなる群より選択される、請求項２８記載のカスタマイズされた眼科用レンズ。
【請求項３０】
コンタクトレンズが、レンズの前面に、オプチカルゾーンの下方に配置され、上縁、斜面付き下縁、前面から外に延びる緯線方向リッジ及び斜面付き下縁から下に延び、斜面付きリッジゾーンと眼の下まぶたとの間で、下まぶたが斜面付きリッジゾーンのどこに当たるかに依存して異なる程度の相互作用を提供する湾曲又は斜面を有する傾斜部を含む斜面付きリッジゾーンを含む、請求項２９記載のカスタマイズされた眼科用レンズ。
【請求項３１】
コンタクトレンズの前面が、垂直経線、水平経線、前面オプチカルゾーン、前面オプチカルゾーンから外に延びる複合ゾーン、複合ゾーンを包囲する周辺ゾーン及び周辺ゾーンに外接し、正接するエッジゾーンを含み、前面オプチカルゾーンが、オプチカルゾーンの第一の面及び第二の面の一方であり、複合ゾーンが、周辺ゾーン、複合ゾーン及び前面オプチカルゾーンが互いに正接することを保証する面を有し、周辺ゾーンが、後面と組み合わさって、（１）レンズの頂部から垂直経線及び垂直経線に平行な線それぞれに沿って下向きに累進的に増大して前面オプチカルゾーンとエッジゾーンとの間の位置で最大値に達したのち、エッジゾーンの縁まで減少するレンズ厚さを有すること、又は（２）垂直経線を横断する平面に関して鏡像対称性を有し、水平経線の周囲の領域で実質的に一定の厚さを有し、水平経線から垂直経線及び垂直経線に平行な線それぞれに沿ってコンタクトレンズの頂部又は底部まで累進的に減少する厚さを有することを特徴とする厚さプロフィールをレンズの周辺ゾーンに提供する面を有する、請求項２９記載のカスタマイズされた眼科用レンズ。
【請求項３２】
有水晶体眼内レンズ又は無水晶体眼内レンズである、請求項２１〜２５のいずれか１項記載のカスタマイズされた眼科用レンズ。
【請求項３３】
眼科用レンズを製造手段によって製造する工程を含む、眼科用レンズを製造する方法であって、眼科用レンズがオプチカルゾーンを含み、オプチカルゾーンが、第一の面及び反対側の第二の面を有し、レンズの頂部から底部まで垂直方向にあるコマ収差様波面収差を含むものである方法。
【請求項３４】
オプチカルゾーンの第一の面及び第二の面の少なくとも一方が非対称であり、オプチカルゾーンが、オプチカルゾーンの頂部から底部まで増大する光学度数を有する、請求項３３記載の方法。
【請求項３５】
オプチカルゾーンの第一の面及び第二の面の少なくとも一方が非対称であり、オプチカルゾーンが、オプチカルゾーンの頂部から底部まで増大する光学度数を有する、請求項３４記載の方法。
【請求項３６】
オプチカルゾーンの第一の面及び第二の面の少なくとも一方が、スプラインベースの数学的関数又は二以上の数学的関数の組み合わせによって記述される、請求項３５記載の方法。
【請求項３７】
オプチカルゾーンの第一の面及び第二の面の少なくとも一方が、ゼルニケ多項式を含む二以上の数学的関数の組み合わせによって記述される、請求項３６記載の方法。
【請求項３８】
ゼルニケ多項式が、ＯＳＡ  ゼルニケ規格案に基づく三次、五次及び七次コマ収差様項の少なくとも一つを含む、請求項３７記載の方法。
【請求項３９】
三次、五次及び七次コマ収差様ゼルニケ項の前記少なくとも一つが、ＯＳＡ規格案ゼルニケ多項式に基づく垂直方向三次コマ収差様ゼルニケ項Ｚ７、五次コマ収差様ゼルニケ項Ｚ１７又は七次コマ収差様項Ｚ３１である、請求項３８記載の方法。
【請求項４０】
オプチカルゾーンの第一の面及び第二の面の少なくとも一方が一以上のスプラインベースの数学的関数によって記述される、請求項３６記載の方法。
【請求項４１】
製造手段がコンピュータ制御可能な製造装置である、請求項３６記載の方法。
【請求項４２】
コンピュータ制御可能な製造装置が数値制御式旋盤である、請求項４１記載の方法。
【請求項４３】
老眼を最小限化又は矯正する方法であって、角膜を再形成して垂直方向コマ収差様波面収差を作り出す工程を含む方法。
【請求項４４】
再形成された角膜がオプチカルゾーンを有し、オプチカルゾーンが非対称であり、オプチカルゾーンの頂部から底部まで増大する光学度数を有する、請求項４３記載の方法。
【請求項４５】
オプチカルゾーンが、スプラインベースの数学的関数又は二以上の数学的関数の組み合わせによって記述される、請求項４４記載の方法。
【請求項４６】
オプチカルゾーンが、ゼルニケ多項式を含む二以上の数学的関数の組み合わせによって記述される、請求項４５記載の方法。
【請求項４７】
ゼルニケ多項式が、ＯＳＡ  ゼルニケ規格案に基づく三次、五次及び七次コマ収差様項の少なくとも一つを含む、請求項４６記載の方法。
【請求項４８】
三次、五次及び七次コマ収差様ゼルニケ項の前記少なくとも一つが、ＯＳＡ規格案ゼルニケ多項式に基づく垂直方向三次コマ収差様ゼルニケ項Ｚ７、五次コマ収差様ゼルニケ項Ｚ１７又は七次コマ収差様項Ｚ３１である、請求項４７記載の方法。
【請求項４９】
オプチカルゾーンが、双円錐数学的関数と垂直方向コマ収差様ゼルニケ項又はその等価物の少なくとも一つとの組み合わせによって記述される、請求項４８記載の方法。
【請求項５０】
垂直方向ゼルニケコマ収差係数の大きさが、ＯＳＡ  ゼルニケ規格案に基づくと、直径６mmのオプチカルゾーンの場合で約０．１μm  ＲＭＳ（二乗平均平方根）〜約２μm  ＲＭＳである、請求項４９記載の方法。
【請求項５１】
垂直方向コマ収差様ゼルニケ項の前記少なくとも一つが、ＯＳＡ規格案ゼルニケ多項式に基づく垂直方向三次コマ収差様ゼルニケ項Ｚ７であり、オプチカルゾーンが、以下の式
【数２】
2006515938.tif 000002
（式中、
Ｚ（ρ、θ）は、オプチカルゾーンを記述し、
ｃxは、ｘ′方向における曲率（半径の逆数）であり、
ｃyは、ｙ′方向における曲率（半径の逆数）であり、
ｋxｘは、ｘ′方向における円錐定数であり、
ｋyは、ｙ′方向における円錐定数であり、
ｒは、少なくとも一方の面の半径に等しく、
ρは、正規化瞳孔座標（ｒ／ｒｍａｘ）に等しく、
θは、角成分であり、
Ｚ７は、ＲＭＳ  μm単位の垂直コマ収差の係数である）
によって記述される、請求項４９記載の方法。
【請求項５２】
オプチカルゾーンが、円錐数学的関数と少なくとも一つの垂直方向コマ収差様ゼルニケ項又はその等価物との組み合わせによって記述される、請求項４８記載の方法。
【請求項５３】
前記少なくとも一つの垂直方向コマ収差様ゼルニケ項が、ＯＳＡ規格案ゼルニケ多項式に基づく垂直方向三次コマ収差様ゼルニケ項Ｚ７、Ｚ１７又は七次コマ収差様項Ｚ３１である、請求項５２記載の方法。
【請求項５４】
オプチカルゾーンが一以上のスプラインベースの数学的関数によって記述される、請求項４８記載の方法。
【請求項５５】
再形成工程が、角膜を切除することによって実施される、請求項４５記載の方法。
【請求項５６】
切除工程が、角膜の光学面に対するレーザビームのエネルギー分布を制御することによって実施される、請求項５５記載の方法。
【請求項５７】
切除工程が、角膜の光学面に対するフライングスポットレーザパターンを制御することによって実施される、請求項５５記載の方法。
【請求項５８】
切除工程が、角膜の光学面に対する切除角を制御することによって実施される、請求項５５記載の方法。